(57)【特許請求の範囲】
【請求項１】
第１情報源から第１情報と第２情報源から第２情報を同時に取り込むとともに、第１層の記録層と第２層の記録層とを有する光ディスクへの書き込みを行う情報記録方法において、
前記第１情報を前記第１層に、前記第２情報を前記第２層に、同時並行的に書き込む同時並行的書き込み処理と、
前記同時並行的書き込み処理を行う場合に、前記同時並行的書き込み処理に破綻が生じるか否かを判断する判断処理と、
前記判断処理による判断において前記同時並行的書き込み処理に破綻が生じる場合には、前記第１情報のデータレートと、前記第２情報のデータレートの双方またはどちらか一方のデータレートを低くするとともに、前記同時並行的書き込み処理を行うように制御する処理と、を行い、
前記第１情報が前記第１層の連続した領域に記録され、前記第２情報が前記第２層の連続した領域に記録されることを特徴とする情報記録方法。
【請求項２】
前記第１層及び第２層の前記記録層がディスク中心部から周辺部に向かって螺旋状に形成された前記光ディスクの前記中心部から前記周辺部に向かって前記第１情報及び前記第２情報を順次書き込むことを特徴とする請求項１に記載の情報記録方法。
【請求項３】
前記第１層及び第２層の前記記録層がディスク中心部から周辺部に向かって螺旋状に形成された前記光ディスクの前記中心部から前記周辺部に向かって前記第１情報を順次書き込み、前記周辺部から前記中心部に向かって前記第２情報を順次書き込むことを特徴とする請求項１に記載の情報記録方法。
【請求項４】
前記判断処理は、前記光ディスクに対する記録速度と、前記第１情報のデータレートと、前記第２情報のデータレートと、バッファ量に基づいて、前記同時並行的書き込み処理を行う場合に、前記同時並行的書き込み処理に破綻が生じるか否かを判断することを特徴とする請求項１に記載の情報記録方法。
【請求項５】
前記判断処理は、前記第１層の記録開始位置および第２層の記録開始位置もさらに考慮して、前記同時並行的書き込み処理を行う場合に、前記同時並行的書き込み処理に破綻が生じるか否かを判断することを特徴とする請求項１に記載の情報記録方法。
【請求項６】
前記判断処理は、前記光ディスクの最外周までの記録を想定したときの前記第１層および第２層における記録位置の差に基づき、前記同時並行的書き込み処理に破綻が生じるか否かを判断することを特徴とする請求項１に記載の情報記録方法。
【請求項７】
第１情報源から第１情報と第２情報源から第２情報を同時に取り込むとともに、第１層の記録層と第２層の記録層とを有する光ディスクへの書き込みを行う情報記録装置において、
前記第１情報を前記第１層に、前記第２情報を前記第２層に、同時並行的に書き込む同時並行的書き込み処理を行う記録手段と、
前記記録手段により前記同時並行的書き込み処理を行う場合に、前記同時並行的書き込み処理に破綻が生じるか否かを判断する判断手段と、
前記判断手段による判断において前記同時並行的書き込み処理に破綻が生じる場合には、前記第１情報のデータレートと、前記第２情報のデータレートの双方またはどちらか一方のデータレートを低くするとともに、前記記録手段に前記同時並行的書き込み処理を行うように制御する制御手段を備え、
前記第１情報が前記第１層の連続した領域に記録され、前記第２情報が前記第２層の連続した領域に記録されることを特徴とする情報記録装置。
【請求項８】
前記第１層及び第２層の前記記録層がディスク中心部から周辺部に向かって螺旋状に形成された前記光ディスクの前記中心部から前記周辺部に向かって前記第１情報及び前記第２情報を順次書き込むことを特徴とする請求項７に記載の情報記録装置。
【請求項９】
前記第１層及び第２層の前記記録層がディスク中心部から周辺部に向かって螺旋状に形成された前記光ディスクの前記中心部から前記周辺部に向かって前記第１情報を順次書き込み、前記周辺部から前記中心部に向かって前記第２情報を順次書き込むことを特徴とする請求項７に記載の情報記録装置。
【請求項１０】
前記判断手段は、前記情報記録装置における前記光ディスクに対する記録速度と、前記第１情報のデータレートと、前記第２情報のデータレートと、バッファ量に基づいて、前記同時並行的書き込み処理を行う場合に、前記同時並行的書き込み処理に破綻が生じるか否かを判断することを特徴とする請求項７に記載の情報記録装置。
【請求項１１】
前記判断手段は、前記第１層の記録開始位置および第２層の記録開始位置もさらに考慮して、前記同時並行的書き込み処理を行う場合に、前記同時並行的書き込み処理に破綻が生じるか否かを判断することを特徴とする請求項７に記載の情報記録装置。
【請求項１２】
前記判断手段は、前記光ディスクの最外周までの記録を想定したときの前記第１層および第２層における記録位置の差に基づき、前記同時並行的書き込み処理に破綻が生じるか否かを判断することを特徴とする請求項７に記載の情報記録装置。
【請求項１３】
情報記録装置の制御手段が実行する情報記録用プログラムであって、第１情報源から第１情報と第２情報源から第２情報を同時に取り込むとともに、第１層の記録層と第２層の記録層とを有する光ディスクに情報を記録する情報記録用プログラムにおいて、
前記第１情報を前記第１層に、前記第２情報を前記第２層に、同時並行的に書き込む同時並行的書き込み処理を行う第１処理ステップと、
前記第１処理ステップを行う場合に、前記同時並行的書き込み処理に破綻が生じるか否かを判断する第２処理ステップと、
前記第２処理ステップによる判断において前記同時並行的書き込み処理に破綻が生じる場合には、前記第１情報のデータレートと、前記第２情報のデータレートの双方またはどちらか一方のデータレートを低くするとともに、前記同時並行的書き込み処理を行うように制御する第３処理ステップと、を備え、
前記第１情報が前記第１層の連続した領域に記録され、前記第２情報が前記第２層の連続した領域に記録されることを特徴とする情報記録用プログラム。
【発明の詳細な説明】
【技術分野】
【０００１】
本発明は、多層の記録層を有する光ディスクに情報を記録する情報記録方法及びその装置に係り、特に、複数番組等の複数情報の夫々を各層に同時並行的にリアルタイムに記録する情報記録方法及びその装置並びに情報記録用プログラムに関する。
【０００２】
また、本発明は、多層の記録層を有する光ディスクに記録された情報を再生する情報再生方法及びその装置に係り、特に、複数番組等の複数情報の夫々が各層別に記録されている場合に各層から複数情報を同時並行的にリアルタイムに再生する情報再生方法及びその装置並びに情報再生用プログラムに関する。
【背景技術】
【０００３】
ＤＶＤ（Digital Versatile Disk）―Ｒ，ＤＶＤ―ＲＷ，ＤＶＤ―ＲＡＭ，ＤＶＤ＋Ｒ，…等の大容量光ディスクの技術進歩は著しく、近年では、光ディスクの記録層を２層構造，４層構造，…等の多層構造にすると共に記録層に情報を書き込み／読み出す光ピックアップのフォーカス位置を可変制御し、情報の記録容量を２倍，４倍，…と大容量化している。このため、１枚の光ディスクに複数の番組等を録画することが可能になっている。
【０００４】
大容量光ディスクは、例えば下記特許文献１に記載されているように、各層の記録層がディスクの中心部から周辺部に向かって螺旋状に設けられており、通常は、下層（または上層）の記録層に情報を記録し終わってから、次に上層（または下層）の記録層に情報を記録する様になっている。また、特許文献１の図７，図８記載の実施例では、各層の螺旋状の記録層をディスク中心部から周辺部に向かって複数ゾーンに分割し、先ず中心部の第１ゾーンの下層および上層の記録層に記録してから次に第２ゾーンの下層および上層の記録層に記録し、…と、順次、ディスク周辺部のゾーンに向かって記録する様になっている。
【０００５】
【特許文献１】特開２００２―１５０６０７号公報
【発明の開示】
【発明が解決しようとする課題】
【０００６】
しかしながら、光ディスクへの記録速度はハードディスクより遅いため、近年普及し始めているＤＶＤ記録再生装置には光ディスクの他にハードディスクも搭載し、録画対象の情報を一旦ハードディスクに記録し、その後にハードディスクの記録情報を光ディスクにコピーする様になっている。
【０００７】
この様なＤＶＤ記録再生装置では、ハードディスクへの記録速度が高速なため、例えば複数のチューナから異なる番組情報を取り出し、同時並行的にリアルタイムに複数番組の情報をハードディスクに録画することができる。これに対し、光ディスクへの記録速度はハードディスクに比較すると低速なため、ハードディスクを介さずに複数番組等の複数の情報を直接光ディスクに同時並行的にリアルタイムに記録することは困難である。
【０００８】
近年のＤＶＤ型光ディスクはその記録速度が向上し、番組１つの情報であれば、ハードディスクを介さずに直接光ディスクにリアルタイムに録画することができる様になってきている。しかし、複数番組等の複数の情報を同時並行的にリアルタイムに光ディスクに記録するには、複数の記録層への記録の仕方を新たに開発する必要がある。また、同様に、記録されている複数の番組等の複数の情報を同時並行的に再生するにも新たな再生の仕方を開発する必要がある。
【０００９】
本発明が解決しようとする課題としては、複数番組等の複数の情報を光ディスクに、直接、同時並行的にリアルタイムに記録するという問題が一例として挙げられる。また、同様に、光ディスクに記録されている複数の番組等の複数の情報を同時並行的に再生するという問題も一例として挙げられる。
【課題を解決するための手段】
【００１０】
請求項１記載の情報記録方法は、第１情報源から第１情報と第２情報源から第２情報を同時に取り込むとともに、第１層の記録層と第２層の記録層とを有する光ディスクへの書き込みを行う情報記録方法において、前記第１情報を前記第１層に、前記第２情報を前記第２層に、同時並行的に書き込む同時並行的書き込み処理と、前記同時並行的書き込み処理を行う場合に、前記同時並行的書き込み処理に破綻が生じるか否かを判断する判断処理と、前記判断処理による判断において前記同時並行的書き込み処理に破綻が生じる場合には、前記第１情報のデータレートと、前記第２情報のデータレートの双方またはどちらか一方のデータレートを低くするとともに、前記同時並行的書き込み処理を行うように制御する処理と、を行い、前記第１情報が前記第１層の連続した領域に記録され、前記第２情報が前記第２層の連続した領域に記録されることを特徴とする。
【００１１】
請求項７記載の情報記録装置は、第１情報源から第１情報と第２情報源から第２情報を同時に取り込むとともに、第１層の記録層と第２層の記録層とを有する光ディスクへの書き込みを行う情報記録装置において、前記第１情報を前記第１層に、前記第２情報を前記第２層に、同時並行的に書き込む同時並行的書き込み処理を行う記録手段と、前記記録手段により前記同時並行的書き込み処理を行う場合に、前記同時並行的書き込み処理に破綻が生じるか否かを判断する判断手段と、前記判断手段による判断において前記同時並行的書き込み処理に破綻が生じる場合には、前記第１情報のデータレートと、前記第２情報のデータレートの双方またはどちらか一方のデータレートを低くするとともに、前記記録手段に前記同時並行的書き込み処理を行うように制御する制御手段を備え、前記第１情報が前記第１層の連続した領域に記録され、前記第２情報が前記第２層の連続した領域に記録されることを特徴とする。
【００１２】
【００１３】
【００１４】
請求項１３記載の情報記録用プログラムは、情報記録装置の制御手段が実行する情報記録用プログラムであって、第１情報源から第１情報と第２情報源から第２情報を同時に取り込むとともに、第１層の記録層と第２層の記録層とを有する光ディスクに情報を記録する情報記録用プログラムにおいて、前記第１情報を前記第１層に、前記第２情報を前記第２層に、同時並行的に書き込む同時並行的書き込み処理を行う第１処理ステップと、前記第１処理ステップを行う場合に、前記同時並行的書き込み処理に破綻が生じるか否かを判断する第２処理ステップと、前記第２処理ステップによる判断において前記同時並行的書き込み処理に破綻が生じる場合には、前記第１情報のデータレートと、前記第２情報のデータレートの双方またはどちらか一方のデータレートを低くするとともに、前記同時並行的書き込み処理を行うように制御する第３処理ステップと、を備え、前記第１情報が前記第１層の連続した領域に記録され、前記第２情報が前記第２層の連続した領域に記録されることを特徴とする。
【００１５】
【発明を実施するための最良の形態】
【００１６】
以下、本発明の実施の形態の好適な実施の形態を図面を参照して説明する。
図１は、本発明の実施の形態に係る情報記録再生装置の使用システム構成の一例を示す図である。図示する例では、部屋Ｘに表示装置１０１及びテレビチューナ１０２が置かれており、部屋Ｙに表示装置１０３及び本実施の形態に係る情報記録再生装置１０が置かれている。部屋Ｘに居る人はチューナ１０２で選択した番組＃１を見ており、部屋Ｙに居る人は、情報記録再生装置１０に内蔵した図示しないチューナで選択した番組＃２を見ている。
【００１７】
この情報記録再生装置１０は、記録層が２層設けられた光ディスクを搭載し、チューナ１０２からの番組＃１の情報を取得して第１層の記録層にリアルタイムに直接記録すると同時に、第２層の記録層に自身内のチューナから取得した番組＃２の情報をリアルタイムに直接記録することができる。なお、勿論、情報記録再生装置１０内に２台のチューナを搭載すれば、図示するチューナ１０２は不要である。
【００１８】
また、この情報記録再生装置１０は、後述する記録方法により、第１層に番組＃１が記録され、第２層に番組＃２が記録された光ディスクの記録情報を再生するとき、番組＃１の記録情報を再生して表示装置１０１に表示すると同時に、番組＃２の記録情報を再生して表示装置１０３に表示することができる。
【００１９】
図２は、上述した実施の形態の情報記録再生装置の別形態の使用システム構成を示す図である。図１に示すシステムでは、情報記録再生装置１０は、テレビ番組情報を記録（録画）する例を示しているが、光ディスクに記録する情報は、映像や音声の情報に限らず、デジタル化可能な情報であれば、何でも良い。
【００２０】
図２に示すシステム構成では、ＬＡＮ等で複数台、図示する例では２台のＰＣ（ＰＣ）１０４，１０５が接続されており、一方のＰＣ１０５に、情報記録再生装置３０が接続されている。この情報記録再生装置３０は、図１に示す情報記録再生装置１０とは異なり、光ディスクドライブ装置部分だけで済み、光ディスクドライブ装置（情報記録再生装置）３０内に挿入された光ディスクに、ＰＣ１０５上のアプリケーションソフトウェアが指令を送り、第１層の記録層に、ＰＣ１０４から取得した情報をリアルタイムに直接記録すると同時に、第２層の記録層に、自身のＰＣ１０５から取得した情報をリアルタイムに記録することができる。再生についても図１と同様である。
【００２１】
次に、情報記録再生装置１０，３０の構成及び記録・再生方法について説明する。なお、記録・再生対象となる情報は上述した様に限定されるものではないが、以下では記録・再生対象となる複数の情報を、番組＃１の情報及び番組＃２の情報として説明する。
【００２２】
図３は、情報記録再生装置１０のブロック構成図である。情報記録再生装置１０は、システム制御部２０と、ＤＶＤ―Ｒ／ＲＷ等の光ディスクドライブ装置３０とからなり、両者は、例えばＡＴＡＰＩケーブル４０により接続されて構成される。システム制御部２０は、図２では、ＣＰＵ以外がＰＣ１０５上で動作するアプリケーションソフトウェアによって実現される。
【００２３】
システム制御部２０は、本実施の形態ではハードウェアによって構成され、システム制御部２０を統括制御するＣＰＵ２１と、チューナ等の情報源から番組＃１の映像信号及び音声信号を取り込むと同時に別の情報源から番組＃２の映像信号及び音声信号を取り込み夫々の番組情報をＭＰＥＧデータに変換するＭＰＥＧエンコーダ２２と、このＭＰＥＧエンコーダ２２でエンコードされたＭＰＥＧデータを暗号化する暗号部２３と、暗号部２３によって暗号化されたＭＰＥＧデータを光ディスクドライブ装置３０に転送する信号制御部２４と、再生時に光ディスクドライブ装置３０から転送された２つの情報（番組＃１’，番組＃２’）を信号制御部２４によって取り込み、暗号部２３で暗号解読された後にデコードするＭＰＥＧデコーダ２５とを備える。
【００２４】
光ディスクドライブ装置３０は、本実施の形態では２層の記録層を有するＤＶＤ―Ｒ／ＲＷ等の光ディスク３１を回転駆動するスピンドルモータ３２と、光ディスク３１に情報を書き込み或いは光ディスク３１の記録情報を読み出す光ピックアップ（ＰＵ）３３と、光ディスクドライブ装置３０を統括制御するＣＰＵ３４と、システム制御部２０の信号制御部２４とＡＴＡＰＩケーブル４０によって接続されるＡＴＡＰＩインタフェース３５と、ＣＰＵ３４によって指令制御されスピンドルモータ３２及びピックアップ３３を駆動制御するサーボ制御部３６と、記録時にはＡＴＡＰＩインタフェース３５を介して取得した番組＃１，＃２の情報を信号処理してピックアップ３３に出力し再生時にはピックアップ３３から出力される信号を読み取り信号処理してＡＴＡＰＩインタフェース３５に出力する信号処理部３７とを備える。
【００２５】
この信号処理部３７には、記録・再生用のバッファメモリ３８が設けられ、信号処理部３７で信号処理された記録対象情報がこのバッファメモリ３８内に所定容量だけ蓄積されたとき該蓄積情報がバッファメモリ３８からピックアップ３３に出力され、光ディスク３１からの読出情報がこのバッファメモリ３８に所定容量だけ蓄積されたとき該蓄積情報がバッファメモリ３８から読み出され信号処理部３７で信号処理された後、ＡＴＡＰＩインタフェース３５に出力される。
【００２６】
図４は、２層の記録層（第１層（下層）を「Ｌ１」、第２層（上層）を「Ｌ２」とする。）を有する光ディスク３１への記録方法，再生方法の説明図である。光ディスク３１には、中心部から周辺部に向けて螺旋状に記録層が設けられている。この記録層は２層構造でなり、下層Ｌ１と上層Ｌ２とから成り、下層Ｌ１に番組＃１の情報を記録し、上層Ｌ２に番組＃２の情報を記録する。
【００２７】
番組＃１の情報と番組＃２の情報を同時並行的にリアルタイムに記録する必要があるため、図示する例では、番組＃１の記録対象情報Ａが所定容量だけバッファメモリ３８に蓄積されたとき、先ず、バッファ３８の番組＃１の情報Ａを下層Ｌ１に書き込み開始する。この書き込みの間に、番組＃２の記録対象情報がバッファメモリ３８に蓄積される。
【００２８】
番組＃１の情報Ａが下層Ｌ１に記録された後は、次に、番組＃２の情報Ｂを上層Ｌ２に記録する。このため、ピックアップ３３の焦点位置を記録層Ｌ１から記録層Ｌ２に移動させる（フォーカスジャンプ）必要がある。同様に、情報Ａの記録終了時のピックアップ３３のトラック位置は、記録層が螺旋状に設けられているため、情報Ｂの記録開始位置からずれた位置になっている。そこで、ピックアップ３３のトラック位置を情報Ｂの記録開始位置に移動させる（トラックジャンプ）必要がある。従って、番組＃１の情報Ａを下層Ｌ１に記録した後は、フォーカスジャンプとトラックジャンプを行ってから、上層Ｌ２に番組＃２の所定容量の情報Ｂを記録開始する。
【００２９】
情報Ｂの記録終了後は、次に、番組＃１の情報Ａに続く所定容量の情報Ｃをバッファメモリ３８から読み出し、フォーカスジャンプさせてピックアップ３３の焦点位置を下層Ｌ１に合わせると共にトラックジャンプして書き込み位置を情報Ａの書き込み終了位置に合わせ、下層Ｌ１に情報Ｃを書き込む。以後同様にして、番組＃１を構成する所定容量毎の情報Ａ，Ｃ，Ｅ，Ｇ，…を下層Ｌ１に書き込み、番組＃２を構成する所定容量毎の情報Ｂ，Ｄ，Ｆ，Ｈ，…を上層Ｌ２に書き込む。
なお、図４に示す例では、書き込み処理を情報Ａ→情報Ｂ→情報Ｃ→…の順に下層Ｌ１及び上層Ｌ２に対して交互に行っているが、書き込み処理は、必ずしも下層Ｌ１及び上層Ｌ２に対して交互に行わなくてもよく、例えば、情報Ａ→情報Ｃ→情報Ｂ→情報Ｅ→…のように書き込み処理を行うなどでもよい。
【００３０】
これにより、従来技術の様に高速のハードディスクに番組＃１，＃２を一旦記録しなくても、直接リアルタイムに２つの番組情報を同時並行的に光ディスクに記録することが可能となる。光ディスクに記録された番組＃１，＃２の情報を読み出して再生する場合も、図４に示す様に、情報Ａ→情報Ｂ→情報Ｃ→…と順に読み出すことで、同時並行的に２つの番組＃１，＃２の情報を再生することが可能となる。
【００３１】
上述の光ディスク３１は、第２層（上層Ｌ２）の情報を第１層（下層Ｌ１）と同様に内周側から外周側へ信号を読み出していくパラレル方式の光ディスクであるが、第２層（上層Ｌ２）の情報の再生を外周側から内周側へ信号を読み出していくオポジット方式の光ディスクもある。
【００３２】
そして、このオポジット方式の光ディスクにおいても、本発明の実施の形態における情報記録再生装置１０，３０は、以下に述べるような記録方法及び再生方法により記録・再生を行うことができる。
図５は情報記録再生装置１０，３０によるオポジット方式の光ディスク４１への記録方法の一例を示す説明図であり、図６は再生方法の一例を示す説明図である。
【００３３】
図５に示すように、オポジット方式の光ディスク４１の番組＃２の向きは、パラレル方式の光ディスク３１の番組＃２の向きとは逆向きに構成されるように記録される。パラレル方式の光ディスク３１は外周部から内周部に向けて連続して再生するのが普通であるが、オポジット方式の光ディスク４１の場合には、各情報の記録順序に従って、図６に示すように再生する。
【００３４】
即ち、図６において、１番目に記録されたに情報Ｂを読み出した後、（１）のようにして２番目に記録された情報Ｄの先頭位置にトラックジャンプして情報Ｄを読み出し、その後、（２）のようにして３番目に記録された情報Ｆの先頭位置にトラックジャンプして情報Ｆを読み出し、その後、（３）のようにして４番目に記録された情報Ｈの先頭位置にトラックジャンプして情報Ｈを読み出す。以下、同様にして外周側まで情報の読み出しを行って、番組＃２の再生を行う。
以上のような、オポジット方式の光ディスク４１に対する記録方法及び再生方法は、例えば、ＤＶＤ−ＶＲフォーマットにおいて記録・再生が可能である。
【００３５】
図７は、番組＃１，＃２の情報を蓄積するバッファメモリのバッファ量説明図である。光ディスクドライブ装置３０の記録速度Ｖｏと、記録層Ｌ１，Ｌ２へのデータレートＶｉとが、Ｖｏ＝２×Ｖｉの関係にある場合には、図７に示す様に、バッファメモリ３８内の下層Ｌ１への書き込み情報が零になり下層Ｌ１への書き込みが終了したとき、バッファメモリ３８内の上層Ｌ２に書き込む情報の蓄積量が所定容量に達するため、直ちにフォーカスジャンプ及びトラックジャンプを行い、上層Ｌ２への書き込みを開始する必要がある。
【００３６】
しかし、トラックジャンプ，フォーカスジャンプを行うには時間が必要であり、図７に示す状態では、時間的に余裕がないため、番組＃１，＃２の同時並行的な書き込み（または読み出し）処理は破綻を来してしまう。
【００３７】
図８は、記録速度ＶｏがＶｏ＝４×Ｖｉの場合のバッファ量説明図である。この場合には、記録層Ｌ１（またはＬ２）への記録終了時点で未だ記録層Ｌ２（またはＬ１）に書き込む情報のバッファ蓄積量が所定量に達していないため、トラックジャンプ，フォーカスジャンプを行う時間的余裕がある。このため、番組＃１，＃２の光ディスク３１への同時並行的な記録，再生が可能である。
【００３８】
図８に矢印ａ’，ａ，ｃで示す範囲が時間的に余裕であり、図示の例では、ａ’＝ａ／２、ａ＝ｃ＝１ｔになっている。初回の時間的余裕ａ’を長くとるには、例えばａ’＝ａとするには、ａ＝５ｔ／７、ｂ＝１１ｔ／７、ｃ＝９ｔ／７にすればよい。このときの番組＃１の初回のバッファ容量Ｍ１と番組＃２の初回のバッファ容量Ｍ２との関係は、Ｍ１＝７（Ｍ２）／１１となる。
【００３９】
図９は、ａ’＝ａ＝ｂ＝ｃとしたときのバッファ量説明図である。このときの番組＃１の初回のバッファ容量Ｍ１と番組＃２の初回のバッファ容量Ｍ２との関係は、Ｍ２＝２×Ｍ１である。この様にした方が、図８の場合よりバッファ量の割り当てが容易となる。
【００４０】
バッファメモリ３８のメモリ容量（総バッファ量）を例えば２ＭＢｙｔｅとし、番組＃１，＃２用のバッファ量として夫々１ＭＢｙｔｅを割り当てると、図９の場合には、初回のバッファ量Ｍ１＝０．５ＭＢｙｔｅ、Ｍ２＝１ＭＢｙｔｅとなり、下層Ｌ１，上層Ｌ２共に最内周（２４ｍｍ）から記録すると、トラックジャンプする距離は、１６ＥＣＣ分（５１２Ｋ／３２Ｋ）すなわち、最内周で７．１２７μｍ（約１０トラック）、最外周で２．８６９μｍ（約４トラック）となる。なお、一般的な２層構造のＤＶＤディスクのアドレス，トラックジャンプ距離，トラック数，トラックジャンプに要する時間との関係の一例を図１０に示す。
【００４１】
ここで、データレートＶｉ＝１０Ｍｂｐｓ、記録速度Ｖｏ＝４０Ｍｂｐｓとすると、２ｔ＝２００ｍｓとなる。図９の場合には、時間的余裕２ｔ＝２００ｍｓの間で別の記録層への記録開始位置にトラックジャンプ及びフォーカスジャンプして記録準備を整えれば、２番組のリアルタイムな同時並行的な記録，再生が可能となる。
【００４２】
図８，図９の実施の形態は、第１層（Ｌ１層），第２層（Ｌ２層）へのデータレートが等しい場合であるが、各層へのデータレートが異なる場合もある。図１１は、データレートが異なる場合の各バッファ量の説明図である。図示の例は、第１層（Ｌ１層）へのデータレートがＶｉ１であり、第２層（Ｌ２層）へのデータレートがＶｉ２であり、Ｖｏ＝２×Ｖｉ１、Ｖｏ＝４×Ｖｉ２とした場合を示している。
【００４３】
今、一般的に、
Ｖｏ＝ａ×Ｖｉ１
Ｖｏ＝ｂ×Ｖｉ２
但し、ａ≧２、ｂ≧２、ｂ≧ａ、ａ＋ｂ＜４、ａ＝ｂ＝２を除くとすると、
Ｔ０＝Ｔ１×ｂ／ａ
（ｂ−１−ｂ／ａ）Ｔ１＝２ｔ
Ｔ’＝〔（ｂ−１）Ｔ１−ｔ〕／ａとなる。
【００４４】
バッファ量との関係を求めると、
総バッファ量Ｍ＝Ｖｉ１×（ａ−１）Ｔ０＋Ｖｉ２×（ｂ−１）Ｔ１
Ｍ＝Ｖｏ×Ｔ０×（（ａ−１）ｂｂ＋（ｂ−１）ａａ）／ａｂｂとなり、これを満たすように番組＃１用のバッファ量Ｍ１，番組＃２用のバッファ量を決めればよい。
【００４５】
図１１に示す例の場合、総バッファ量を２ＭＢｙｔｅとすると、番組＃１用の所定バッファ量Ｍ１＝１．１４ＭＢｙｔｅ、番組＃１用の初回のバッファ量Ｍ１’＝０．７２ＭＢｙｔｅ、番組＃２用の所定バッファ量Ｍ２＝０．９２１ＭＢｙｔｅとなる。第１層Ｌ１，第２層Ｌ２共に最内周（２４ｍｍ）から記録すると、外周に行くに従って、双方の記録位置が離れていく。これを図示すると、図１２となる。
【００４６】
この状態で最外周まで記録すると、トラック数にして８４３５トラックの差が生じてしまう。Ｖｉ１＝２０Ｍｂｐｓ、Ｖｉ２＝１０Ｍｂｐｓ、Ｖｏ＝４０Ｍｂｐｓとすると、ｔ＝１１４ｍｓとなる。４倍速のＤＶＤドライブ装置では、１１４ｍｓの間に８４３５トラックを移動するのは厳しく、Ｖｉ１とＶｉ２との速度差が大きい場合には、同時並行的な記録，再生は制御が厳しくなる。勿論、録画時間が短く最外周まで記録する必要の無い場合には問題はない。
【００４７】
上記の例は、４倍速のドライブ装置を用いた場合の限界的なデータレート差を示したものであり、データレート差が小さければ問題は生じず、同時並行的なリアルタイムな記録，再生が可能である。
【００４８】
例えば、Ｖｉ１＝１０Ｍｂｐｓ、Ｖｉ２＝８Ｍｂｐｓ、Ｖｏ＝４０Ｍｂｐｓ、総バッファ量Ｍ＝２ＭＢｙｔｅのときは、ａ＝４、ｂ＝５、ｔ＝３１６．５ｍｓ、Ｍ１＝１．０７９ＭＢｙｔｅ、Ｍ１’＝０．５６６ＭＢｙｔｅ、Ｍ２＝０．９２１ＭＢｙｔｅとなる。この条件で最外周まで記録すると、トラック数にして４９１４トラックの差が生じるが、シーク時間は実測値で１１４ｍｓ以下となるので、リアルタイムの同時並行的な記録，再生には破綻は生じない。
【００４９】
同様に、Ｖｉ１＝２０Ｍｂｐｓ、Ｖｉ２＝１３．３３Ｍｂｐｓ、Ｖｏ＝４０Ｍｂｐｓ、総バッファ量Ｍ＝２ＭＢｙｔｅのとき、ａ＝２、ｂ＝３、ｔ＝７０．６ｍｓ、Ｍ１＝１．０５６ＭＢｙｔｅ、Ｍ１’＝０．６１７ＭＢｙｔｅ、Ｍ２＝０．９４ＭＢｙｔｅとなり、最外周まで記録すると、３６５７トラックの差が生じる。この場合も同時並行的な記録，再生に破綻は生じない。
【００５０】
図１３，図１４は、図８〜図１２で説明した情報記録方法を実現する情報記録再生装置における処理手順の一実施例を示すフローチャートである。図３に示すシステム制御部２０のＣＰＵ２１が図１３の処理を実行し、光ディスクドライブ装置３０のＣＰＵ３６が図１４の処理を実行する。
【００５１】
図１３において、ＣＰＵ２１は、先ず、光ディスクドライブ装置３０の記録速度Ｖｏと、２つのデータレートＶｉ１，Ｖｉ２と、総バッファ量Ｍの情報確認または情報取得を行い、Ｌ１，Ｌ２用のバッファ領域Ｍ１，Ｍ２及び余裕時間ｔを算出する（ステップＳ１）。
【００５２】
次に、ＣＰＵ２１は、各層Ｌ１，Ｌ２の記録開始位置を確認し、光ディスク３１の最外周までの記録を想定したときの最大トラック差Ｔｒを算出する（ステップＳ２）。そして、余裕時間“ｔ”内で最大トラック数差Ｔｒの移動が可能であるか否かを判定し（ステップＳ３）、移動不可能の場合にはエラー終了する（ステップＳ４）。
【００５３】
移動可能の場合には、次にステップＳ５に進み、同時記録の開始を行う。即ち、光ディスクドライブ装置３０のＣＰＵ３６に対して同時記録の指示を行うと共に、バッファ量Ｍ１，Ｍ２の設定をＣＰＵ３６に指示し、各層Ｌ１用，Ｌ２用の記録対象データの信号制御部２４からＡＴＡＰＩインタフェース３５への転送を開始する。以下、常に一定のレートでデータ転送を行う。
【００５４】
ステップＳ５の次に、図１４に示すように、ＣＰＵ２１から同時記録の指示を受けた光ディスクドライブ装置３０のＣＰＵ３６は、転送されたデータサイズまたはバッファメモリ３８に蓄積されるデータの蓄積量（バッファ量）を監視する（ステップＳ１１）。そして、書き込むべき記録層（今の場合は第１層Ｌ１）へピックアップ３３を移動させ（ステップＳ１２）、記録対象データ（番組＃１のデータ）のバッファ蓄積量がＭ１に達したか否かを判定する（ステップＳ１３）。
【００５５】
ステップ１３の判定結果が否定（Ｎｏ）の場合には、次にステップＳ１４に進み、キャッシュをフラッシュするか否かを判定し、判定結果が否定の場合にはステップＳ１３に戻る。キャッシュをフラッシュする場合にはステップＳ１４からステップＳ１５に進み、バッファ内のデータを光ディスク３１に書き込み、通常の記録モード（同時並行的な記録モード以外の記録モード）に移行し、この処理を終了する。
【００５６】
ステップＳ１３の判定結果が肯定（Ｙｅｓ）になったときは、ステップＳ１６に進み、バッファ内の蓄積データを読み出して光ディスク３１に書き込む。そして、書き込みが終了するのを待機し（ステップＳ１７）、書き込みが終了した場合には、ステップＳ１７からステップＳ１２に戻る。
【００５７】
今回進んだステップＳ１２では、前回の書込層がＬ１層であるため、Ｌ２層へのフォーカスジャンプ及びトラックジャンプを行う。そして、ステップＳ１３では、番組＃２のデータのバッファ蓄積量がＭ２に達したか否かを判定し、達した場合には、第２層Ｌ１に番組＃２の情報を書き込み。以下同様にして、番組＃１，＃２のリアルタイムな同時並行的な記録を行う。
【００５８】
第１層Ｌ１に番組＃１が記録され、第２層Ｌ２に番組＃２が記録されている光ディスク３１を光ディスクドライブ装置３０に挿入し、両方の番組の情報を同時並行的に再生する場合には、記録順序と同様に、図４に示す様に、情報Ａ→情報Ｂ→情報Ｃ→…と各情報をバッファメモリ３８を介しながら順次読み出す。そして、光ディスクドライブ装置３０側で、あるいはシステム制御部２０側で、情報Ａ，Ｃ，Ｅ，…と並べ直して番組＃１の情報を再生し、情報Ｂ，Ｄ，Ｆ，…と並べ直して番組＃２の情報を再生し、ＭＰＥＧデコーダ２５から外部機器に出力する。
【００５９】
次に、図８〜図１２で説明した情報記録方法を実現する情報記録再生装置における処理手順の他の実施例を説明する。以下に述べる他の実施例は、入力データのレート変換をシステム制御部２０で行うことを特徴とする一実施例である。
図１５は、本発明に係る情報記録方法を実現する情報記録再生装置における処理手順の他の実施例を示すフローチャートである。
図３に示すシステム制御部２０のＣＰＵ２１が図１５の処理を実行する。なお、光ディスクドライブ装置３０のＣＰＵ３６が実行する処理は、前述の実施例における図１４のフローと同一であり、その図示及び説明を省略する。
【００６０】
図１５において、ＣＰＵ２１は、先ず、光ディスクドライブ装置３０の記録速度Ｖｏと、２つのデータレートＶｉ１，Ｖｉ２と、総バッファ量Ｍの情報確認または情報取得を行い、Ｌ１，Ｌ２用のバッファ領域Ｍ１，Ｍ２及び余裕時間“ｔ”を算出する（ステップＳ２１）。
次に、ステップＳ２１で算出された余裕時間“ｔ”は十分であるか否かを判定する（ステップＳ２２）。
なお、この段階では移動トラック数が確定していないため、必要最低限の時間を確保できていればよい。例えば、図１０のテーブルを参照すると、トラック数が０の場合、真上または真下の層への移動時間としては４４ｍｓが必要となるので、ステップＳ２２における判定基準の一例としては、余裕時間“ｔ”が４４ｍｓ以上（あるいは、マージンを取って５０ｍｓ以上などとしてもよい）であるか否かを判定すればよい。
【００６１】
余裕時間“ｔ”が十分でない場合（ステップＳ２２の判定結果が否定（Ｎｏ）の場合）は、余裕時間“ｔ”が十分な値となるように入力のデータレートＶｉ１，Ｖｉ２の双方またはどちらか一方を低くする（ステップＳ２３）。
ステップＳ２２の判定結果が肯定（Ｙｅｓ）で余裕時間“ｔ”が十分である場合、または、前記ステップＳ２３の処理を施して余裕時間“ｔ”を十分な値とした場合、ＣＰＵ２１は、各層Ｌ１，Ｌ２の記録開始位置を確認し、光ディスク３１の最外周までの記録を想定したときの最大トラック差Ｔｒを算出する（ステップＳ２４）。
【００６２】
そして、余裕時間“ｔ”内で最大トラック差Ｔｒの移動が可能であるか否かを判定し（ステップＳ２５）、移動不可能の場合（ステップＳ２５の判定結果が否定（Ｎｏ）の場合）は、あらためて、余裕時間“ｔ”内で移動可能な範囲での第２の最大トラック差Ｔｒ２を求め、移動するトラック差が第２の最大トラック差Ｔｒ２以下になるように、入力のデータレートＶｉ１，Ｖｉ２の双方またはどちらか一方の値を変更する（ステップＳ２６）。
【００６３】
ステップＳ２５の判定結果が肯定（Ｙｅｓ）で移動可能の場合、または、前記ステップＳ２６の処理を施して移動可能とした場合、次にステップＳ２７に進み、同時記録の開始を行う。即ち、光ディスクドライブ装置３０のＣＰＵ３６に対して同時記録の指示を行うと共に、バッファ量Ｍ１，Ｍ２の設定をＣＰＵ３６に指示し、各層Ｌ１用，Ｌ２用の記録対象データの信号制御部２４からＡＴＡＰＩインタフェース３５への転送を開始する。以下、常に一定のレートでデータ転送を行う。
【００６４】
なお、上述した実施の形態及び他の実施の形態では、光ディスクが２層の記録層を持ち、２つの番組情報をリアルタイムに同時並行的に各層毎に記録，再生する場合について説明したが、光ディスクの記録速度が８倍速や１６倍速と速くなれば、４層の記録層を持つ光ディスクの各記録層毎に４つの番組情報をリアルタイムに同時並行的に記録し再生することが可能である。
【００６５】
上述した実施の形態の情報記録方法は、第１層の記録層Ｌ１と第２層の記録層Ｌ２とを有する光ディスク３１への情報記録方法において、第１情報源（図１のチューナ１０２または図２のＰＣ１０４：以下同様）からの第１情報がバッファメモリ３８に第１所定量蓄積される毎に該第１所定量の前記第１情報を該バッファメモリ３８から読み出して前記第１層Ｌ１に書き込む処理（図１４のステップＳ１６：以下同様）と、第２情報源（図１の情報記録再生装置１０に内蔵のチューナまたは図２のＰＣ１０５：以下同様）からの第２情報がバッファメモリ３８に第２所定量蓄積される毎に該第２所定量の前記第２情報を該バッファメモリ３８から読み出して前記第２層Ｌ１に書き込む処理（図１４のステップＳ１６：以下同様）とを行う（ステップＳ１２：以下同様）ことを特徴とする。
【００６６】
この構成により、第１情報源から連続的に出力される第１情報と、第２情報源から連続的に出力される第２情報とを、光ディスクに直接、リアルタイムに、同時並行的に同一光ディスク３１に記録することが可能となる。
【００６７】
上述した実施の形態の情報記録装置は、第１層の記録層Ｌ１と第２層の記録層Ｌ２とを有する光ディスク３１への情報記録装置において、第１情報源からの第１情報がバッファメモリ３８に第１所定量蓄積される毎に該第１所定量の前記第１情報を該バッファメモリ３８から読み出して前記第１層Ｌ１に書き込む処理と第２情報源からの第２情報がバッファメモリ３８に第２所定量蓄積される毎に該第２所定量の前記第２情報を該バッファメモリ３８から読み出して前記第２層に書き込む処理とを行う制御手段を備えることを特徴とする。
【００６８】
この構成により、第１情報源から連続的に出力される第１情報と、第２情報源から連続的に出力される第２情報とを、同一光ディスクに直接、リアルタイムに、同時並行的に記録することが可能となる。
上述した実施の形態の情報再生方法は、第１層の記録層Ｌ１と第２層の記録層Ｌ２とを有する光ディスク３１から情報を読み出し再生する情報再生方法において、前記第１層Ｌ１から読み出した第１情報がバッファメモリ３８に第１所定量蓄積される毎に該バッファメモリ３８から前記第１所定量の前記第１情報を読み出す処理と、前記第２層Ｌ２から読み出した第２情報がバッファメモリ３８に第２所定量蓄積される毎に該バッファメモリ３８から前記第２所定量の前記第２情報を読み出す処理とを行うことを特徴とする。
【００６９】
この構成により、第１層Ｌ１に記録されている第１情報と、第２層Ｌ２に記録されている第２情報とを、同一光ディスク３１から同時並行的に読み出して再生することが可能となる。
【００７０】
上述した実施の形態の情報再生装置は、第１層の記録層Ｌ１と第２層の記録層Ｌ２とを有する光ディスク３１から情報を読み出し再生する情報再生装置において、前記第１層Ｌ１から読み出した第１情報がバッファメモリ３８に第１所定量蓄積される毎に該バッファメモリ３８から前記第１所定量の前記第１情報を読み出す処理と前記第２層Ｌ２から読み出した第２情報がバッファメモリ３８に第２所定量蓄積される毎に該バッファメモリ３８から前記第２所定量の前記第２情報を読み出す処理とを行う制御手段３４を備えることを特徴とする。
【００７１】
この構成により、第１層Ｌ１に記録されている第１情報と、第２層Ｌ２に記録されている第２情報とを、同一の光ディスク３１から同時並行的に読み出して再生することが可能となる。
【００７２】
上述した実施の形態の情報記録用プログラムは、情報記録装置１０の制御手段２１（または３４）が実行する情報記録用プログラムであって第１層の記録層Ｌ１と第２層の記録層Ｌ２とを有する光ディスク３１に情報を記録する情報記録用プログラムにおいて、第１情報源からの第１情報がバッファメモリ３８に第１所定量蓄積される毎に該第１所定量の前記第１情報を該バッファメモリ３８から読み出して前記第１層Ｌ１に書き込む第１処理ステップ（ステップＳ１６）と、第２情報源からの第２情報がバッファメモリ３８に第２所定量蓄積される毎に該第２所定量の前記第２情報を該バッファメモリ３８から読み出して前記第２層Ｌ２に書き込む第２処理ステップ（ステップＳ１６）と、前記第１処理ステップと前記第２処理ステップとを行う第３処理ステップ（ステップＳ１２）とを備えることを特徴とする。
【００７３】
この構成により、第１情報源から連続的に出力される第１情報と、第２情報源から連続的に出力される第２情報とを、同一の光ディスク３１に直接、リアルタイムに、同時並行的に記録することが可能となる。
【００７４】
上述した情報再生用プログラムは、情報再生装置１０の制御手段２１（または３４）が実行する情報再生用プログラムであって第１層の記録層Ｌ１と第２層の記録層Ｌ２とを有する光ディスク３１に記録されている情報を読み出し再生する情報再生用プログラムにおいて、前記第１層Ｌ１から読み出した第１情報がバッファメモリ３８に第１所定量蓄積される毎に該バッファメモリ３８から前記第１所定量の前記第１情報を読み出す第１処理ステップと、前記第２層Ｌ２から読み出した第２情報がバッファメモリに第２所定量蓄積される毎に該バッファメモリ３８から前記第２所定量の前記第２情報を読み出す第２処理ステップと、前記第１処理ステップと前記第２処理ステップとを行う第３処理ステップとを備えることを特徴とする。
【００７５】
この構成により、第１層Ｌ１に記録されている第１情報と、第２層Ｌ２に記録されている第２情報とを、同一の光ディスク３１から同時並行的に読み出して再生することが可能となる。
本出願は、２００４年１０月２７日出願の日本特許出願（特願２００４−３１２６７２）、に基づくものであり、その内容はここに参照として取り込まれる。
【図面の簡単な説明】
【００７６】
【図１】本発明の一実施の形態に係る情報記録再生装置の一使用形態を説明するシステム構成図である。
【図２】本発明の一実施の形態に係る情報記録再生装置の別使用形態を説明するシステム構成図である。
【図３】図１に示す情報記録再生装置のブロック構成図である。
【図４】図３に示す２層の記録層を持つ光ディスクへの情報記録方法あるいは情報再生方法の説明図である。
【図５】図３に示す２層の記録層を持つオポジット方式の光ディスクへの記録方法の一例を示す説明図である。
【図６】図３に示す２層の記録層を持つオポジット方式の光ディスクへの再生方法の一例を示す説明図である。
【図７】図３に示すバッファメモリに異なる番組情報を蓄積するバッファ量説明図である。
【図８】記録速度がデータレートに対して４倍速の場合のバッファ量説明図である。
【図９】記録速度がデータレートに対して４倍速の場合における別方法におけるバッファ量説明図である。
【図１０】一般的な２層構造のＤＶＤディスクのアドレス，トラックジャンプ距離，トラック数，トラックジャンプに要する時間との関係の一例を示す図である。
【図１１】データレートが異なる複数の番組情報を光ディスクに記録するときのバッファ量説明図である。
【図１２】データレートが異なる複数の番組情報を光ディスクに記録するときの説明図である。
【図１３】図３に示すシステム制御部のＣＰＵが実行する処理手順を示すフローチャートである。
【図１４】図３に示すドライブ装置のＣＰＵが実行する処理手順を示すフローチャートである。
【図１５】図３に示すシステム制御部のＣＰＵが実行する他の実施例による処理手順を示すフローチャートである。
【符号の説明】
【００７７】
１０  情報記録再生装置
２０  システム制御部
２１  システム制御部側のＣＰＵ
２２  ＭＰＥＧエンコーダ
２５  ＭＰＥＧデコーダ
３０  ＤＶＤ―Ｒ／ＲＷドライブ装置
３１  光ディスク
３３  光ピックアップ
３４  ドライブ側のＣＰＵ
３８  バッファメモリ
【図１】
0004576388.tif 000002
【図２】
0004576388.tif 000003
【図３】
0004576388.tif 000004
【図４】
0004576388.tif 000005
【図５】
0004576388.tif 000006
【図６】
0004576388.tif 000007
【図７】
0004576388.tif 000008
【図８】
0004576388.tif 000009
【図９】
0004576388.tif 000010
【図１０】
0004576388.tif 000011
【図１１】
0004576388.tif 000012
【図１２】
0004576388.tif 000013
【図１３】
0004576388.tif 000014
【図１４】
0004576388.tif 000015
【図１５】
0004576388.tif 000016